(57)【要約】【課題】必要な明るさを確保しつつ無駄な消費電力を削減することができる照明制御装置及び該照明制御装置を備える画像処理装置を提供する。【解決手段】点灯状態取得部１１は、点滅スイッチ２０のスイッチの入切状態を取得することにより、各照明器具３０のうち、どの照明器具３０が点灯し、どの照明器具３０が消灯であるかを示す点灯状態を取得し、取得した点灯状態を制御部１０へ出力する。記憶部１２は、予め各照明器具３０の配置情報を記憶してある。配置情報は、例えば、各照明器具３０の識別番号、及びそれぞれの照明器具３０の位置関係を示す情報などを含む。調光部１３は、配置情報及び点灯状態により得られた一の照明器具の周囲の照明器具（例えば、隣接する照明器具）の点灯状態に応じて、当該一の照明器具を調光する。【選択図】図１
2011253716.tif 000002
【特許請求の範囲】
【請求項１】
複数配置された照明器具の点灯状態を制御する照明制御装置において、
各照明器具の配置情報を記憶する配置情報記憶部と、
各照明器具を調光する調光部と
を備え、
前記調光部は、
前記配置情報により得られた一の照明器具の周囲の照明器具の点灯状態に応じて、前記一の照明器具を調光するように構成してあることを特徴とする照明制御装置。
【請求項２】
前記調光部は、
前記一の照明器具の周囲で点灯している照明器具の数の多少に応じて、前記一の照明器具の調光レベルを低高とするように構成してあることを特徴とする請求項１に記載の照明制御装置。
【請求項３】
空間内に設置された複数の機器を照明すべく複数配置された照明器具の点灯状態を制御する照明制御装置において、
各照明器具により照明される１又は複数の機器を前記照明器具と関連付けた関連情報を記憶する関連情報記憶部と、
各照明器具を調光する調光部と
を備え、
前記調光部は、
前記関連情報により得られた一の照明器具により照明される機器のオン／オフ状態に応じて、前記一の照明器具を調光するように構成してあることを特徴とする照明制御装置。
【請求項４】
前記調光部は、
前記一の照明器具により照明される機器がすべてオフ状態である場合、前記一の照明器具の調光レベルを低とするように構成してあることを特徴とする請求項３に記載の照明制御装置。
【請求項５】
各照明器具の配置情報を記憶する配置情報記憶部を備え、
前記調光部は、
前記一の照明器具の周囲で点灯している照明器具の数の多少に応じて、前記一の照明器具の調光レベルを低高とするように構成してあることを特徴とする請求項４に記載の照明制御装置。
【請求項６】
空間内に配置した人感センサを備え、
前記調光部は、
前記照明器具の位置と前記人感センサで感知した人間の位置との間の距離の長短に応じて、前記照明器具の調光レベルを低高とするように構成してあることを特徴とする請求項１から請求項５までのいずれか１項に記載の照明制御装置。
【請求項７】
空間内の照度を検出する１又は複数の照度センサを備え、
前記調光部は、
前記照度センサで検出した照度が所定の設定値になるように照明器具を調光するように構成してあることを特徴とする請求項１から請求項６までのいずれか１項に記載の照明制御装置。
【請求項８】
季節又は時間帯を判定する判定部と、
該判定部で判定した季節又は時間帯に応じて、前記調光部で調光した調光レベルを補正する補正部と
を備えることを特徴とする請求項１から請求項７までのいずれか１項に記載の照明制御装置。
【請求項９】
請求項１から請求項８までのいずれか１項に記載の照明制御装置を備えることを特徴とする画像処理装置。
【発明の詳細な説明】
【技術分野】
【０００１】
本発明は、空間内を照明すべく複数配置された照明器具の点灯状態を制御する照明制御装置及び該照明制御装置を備える画像処理装置に関する。
【背景技術】
【０００２】
従来、オフィスや工場などの室内空間を照明するために天井等に複数の照明器具を設置し、所望の照度レベルが得られるように照明器具の台数や配置を決めている。しかし、室内空間の机などが置かれた所定の場所に常に人が居るとは限らないので、スイッチを操作して人が居る場所の付近に設置された照明器具だけを点灯すること、あるいは、室内の人を検出するセンサを備えておき、人を検出した場所にある照明器具を点灯することなどが行われていた。
【０００３】
また、人体センサ部で人間の位置を検出し、人間の位置を中心に同心円状に複数のエリアを設定し、中心から一定距離毎に調光比を徐々に下げることにより、人間の存在位置の周囲の照度を一定に保持することができる照明制御装置が開示されている（特許文献１参照）。
【先行技術文献】
【特許文献】
【０００４】
【特許文献１】特開平７−２９６９７０号公報
【発明の概要】
【発明が解決しようとする課題】
【０００５】
しかしながら、特許文献１の照明制御装置では、人間が存在する位置を中心にして段階的に照度を下げるものの、人間が存在する位置付近では、複数の照明器具がすべて１００％調光で点灯するとともに、人間が存在しない位置でも照明器具を点灯するので、実際には必要がない明るさで室内空間を照明することになる。
【０００６】
本発明は斯かる事情に鑑みてなされたものであり、必要な明るさを確保しつつ無駄な消費電力を削減することができる照明制御装置及び該照明制御装置を備える画像処理装置を提供することを目的とする。
【課題を解決するための手段】
【０００７】
本発明に係る照明制御装置は、複数配置された照明器具の点灯状態を制御する照明制御装置において、各照明器具の配置情報を記憶する配置情報記憶部と、各照明器具を調光する調光部とを備え、前記調光部は、前記配置情報により得られた一の照明器具の周囲の照明器具の点灯状態に応じて、前記一の照明器具を調光するように構成してあることを特徴とする。
【０００８】
本発明にあっては、各照明器具の配置情報を記憶する配置情報記憶部と、各照明器具を調光する調光部とを備える。調光部は、配置情報により得られた一の照明器具の周囲の照明器具の点灯状態に応じて、当該一の照明器具を調光する。複数の照明器具が天井等に配置された場合、床面や机面などの照度は、最も近くに配置された照明器具だけでなく周囲の照明器具からの光によって得られる。床面や机面などに必要な照度は、最も近くに配置された照明器具だけを点灯することによって得られるので、付近の複数の照明器具を点灯させた場合には、必要以上の明るさが得られることになる。そこで、例えば、一の照明器具の周囲の照明器具が点灯している場合、当該一の照明器具の調光レベルを下げることにより、必要な明るさを確保しつつ無駄な消費電力を削減することができる。
【０００９】
本発明に係る照明制御装置は、前記調光部は、前記一の照明器具の周囲で点灯している照明器具の数の多少に応じて、前記一の照明器具の調光レベルを低高とするように構成してあることを特徴とする。
【００１０】
本発明にあっては、調光部は、一の照明器具の周囲で点灯している照明器具の数の多少に応じて、当該一の照明器具の調光レベルを低高とする。例えば、一の照明器具に隣接する照明器具がすべて点灯していない場合には、当該一の照明器具の調光レベルを「高」（例えば、１００％）にする。また、一の照明器具に隣接する照明器具のうち１台が点灯している場合には、当該一の照明器具の調光レベルを「中」（例えば、６０％）にする。また、一の照明器具に隣接する照明器具のうち２台が点灯している場合には、当該一の照明器具の調光レベルを「低」（例えば、２０％）にする。これにより、必要な明るさを確保しつつ無駄な消費電力を削減することができる。
【００１１】
本発明に係る照明制御装置は、空間内に設置された複数の機器を照明すべく複数配置された照明器具の点灯状態を制御する照明制御装置において、各照明器具により照明される１又は複数の機器を前記照明器具と関連付けた関連情報を記憶する関連情報記憶部と、各照明器具を調光する調光部とを備え、前記調光部は、前記関連情報により得られた一の照明器具により照明される機器のオン／オフ状態に応じて、前記一の照明器具を調光するように構成してあることを特徴とする。
【００１２】
本発明にあっては、各照明器具により照明される１又は複数の機器を照明器具と関連付けた関連情報を記憶する関連情報記憶部と、各照明器具を調光する調光部とを備える。調光部は、関連情報により得られた一の照明器具により照明される機器のオン／オフ状態に応じて、当該一の照明器具を調光する。機器は、例えば、机上に置かれたパーソナルコンピュータ等の情報端末装置である。一の照明器具により照明される機器がオン状態であれば、当該一の照明器具で照明される領域内に人が居る可能性が高いので当該一の照明器具の調光レベルを高くする。また、一の照明器具により照明される機器がオフ状態であれば、当該一の照明器具で照明される領域内に人が居る可能性が低いので当該一の照明器具の調光レベルを低くする。これにより、必要な明るさを確保しつつ無駄な消費電力を削減することができる。
【００１３】
本発明に係る照明制御装置は、前記調光部は、前記一の照明器具により照明される機器がすべてオフ状態である場合、前記一の照明器具の調光レベルを低とするように構成してあることを特徴とする。
【００１４】
本発明にあっては、調光部は、一の照明器具により照明される機器がすべてオフ状態である場合、当該一の照明器具の調光レベルを下げる。一の照明器具により照明される機器がすべてオフ状態であれば、当該一の照明器具で照明される領域内に人が居る可能性が低いので当該一の照明器具の調光レベルを下げる。これにより、必要な明るさを確保しつつ無駄な消費電力を削減することができる。
【００１５】
本発明に係る照明制御装置は、各照明器具の配置情報を記憶する配置情報記憶部を備え、前記調光部は、前記一の照明器具の周囲で点灯している照明器具の数の多少に応じて、前記一の照明器具の調光レベルを低高とするように構成してあることを特徴とする。
【００１６】
本発明にあっては、各照明器具の配置情報を記憶する配置情報記憶部備える。調光部は、一の照明器具の周囲で点灯している照明器具の数の多少に応じて、当該一の照明器具の調光レベルを低高とする。例えば、一の照明器具により照明される機器がオン状態であって、当該一の照明器具の調光レベルを「高」（例えば、１００％）にした場合に、周囲で点灯している照明器具が存在するときは、当該一の照明器具の調光レベルを低とすべく「中プラス」（例えば、８０％）にする。また、一の照明器具により照明される機器がオフ状態であって、当該一の照明器具の調光レベルを「中マイナス」（例えば、４０％）にした場合に、周囲で点灯している照明器具が存在するときは、当該一の照明器具の調光レベルを低とすべく「低」（例えば、２０％）にする。これにより、必要な明るさを確保しつつ無駄な消費電力を削減することができる。
【００１７】
本発明に係る照明制御装置は、空間内に配置した人感センサを備え、前記調光部は、前記照明器具の位置と前記人感センサで感知した人間の位置との間の距離の長短に応じて、前記照明器具の調光レベルを低高とするように構成してあることを特徴とする。
【００１８】
本発明にあっては、空間内に配置した人感センサを備える。調光部は、照明器具の位置と人感センサで感知した人間の位置との間の距離の長短に応じて、当該照明器具の調光レベルを低高とする。例えば、離隔距離を近距離、中距離、遠距離の３段階に分けた場合、近距離であれば調光レベルを変更せず、中距離であれば調光レベルを低とすべく１０％下げ、遠距離であれば調光レベルをさらに低とすべく２０％下げるようにすることができる。これにより、さらに人の存在位置を加味して調光レベルを下げることができるので、必要な明るさを確保しつつ無駄な消費電力を一層削減することができる。
【００１９】
本発明に係る照明制御装置は、空間内の照度を検出する１又は複数の照度センサを備え、前記調光部は、前記照度センサで検出した照度が所定の設定値になるように照明器具を調光するように構成してあることを特徴とする。
【００２０】
本発明にあっては、空間内の照度を検出する１又は複数の照度センサを備え、調光部は、照度センサで検出した照度が所定の設定値になるように照明器具を調光する。これにより、各照明器具の調光を行う場合に、所定の設定値に調整することができる。
【００２１】
本発明に係る照明制御装置は、季節又は時間帯を判定する判定部と、該判定部で判定した季節又は時間帯に応じて、前記調光部で調光した調光レベルを補正する補正部とを備えることを特徴とする。
【００２２】
本発明にあっては、季節又は時間帯を判定する判定部と、判定した季節又は時間帯に応じて、調光部で調光した調光レベルを補正する補正部とを備える。例えば、季節が春又は秋である場合、調光レベルの補正を行わない。季節が夏である場合、外が明るいので補正量を正（プラス）、すなわち調光レベルが上がるように補正する。また、季節が冬である場合、外の暗さに合わせて補正量を負（マイナス）、すなわち調光レベルが下がるように補正する。これにより、屋外と屋内での明るさを近づけることができ、屋外から屋内、あるいは屋内から屋外へ移動したときの明るさの差異を少なくして不快感を和らげることができる。
【００２３】
また、例えば、時間帯が朝（例えば、７時〜１０時）の場合、調光レベルの補正を行わない。また、時間帯が昼（例えば、１０時〜１７時）の場合、外が明るいので補正量を正（プラス）、すなわち調光レベルが上がるように補正する。また、時間帯が夜（例えば、１７時〜７時）の場合、外の暗さに合わせて補正量を負（マイナス）、すなわち調光レベルが下がるように補正する。これにより、人間のバイオリズムに合わせた細やかな調光制御を行うことができ、快適性を向上させることができる。
【００２４】
本発明に係る画像処理装置は、前述のいずれか１つの発明に係る照明制御装置を備えることを特徴とする。
【００２５】
本発明にあっては、画像処理装置は、照明制御装置を備える。オフィスなどの室内空間に設置された画像処理装置（例えば、印刷装置、複合機など）は、通常は常時電源が入っている。したがって、画像処理装置に照明制御装置を組み込むことにより、専用の照明制御装置が不要になるので、さらなる消費電力の削減が可能となる。
【発明の効果】
【００２６】
本発明によれば、一の照明器具の周囲の照明器具が点灯している場合、当該一の照明器具の調光レベルを下げることにより、必要な明るさを確保しつつ無駄な消費電力を削減することができる。
【図面の簡単な説明】
【００２７】
【図１】実施の形態１の照明制御ユニットの構成の一例を示すブロック図である。
【図２】照明器具の配置例を示す模式図である。
【図３】実施の形態１の照明制御ユニットによる調光制御の一例を示す説明図である。
【図４】実施の形態２の照明制御ユニットの構成の一例を示すブロック図である。
【図５】照明器具と情報端末装置との関係を示す模式図である。
【図６】実施の形態２の照明制御ユニットによる調光制御の一例を示す説明図である。
【図７】実施の形態２の照明制御ユニットによる調光制御の一例を示す説明図である。
【図８】実施の形態２の照明制御ユニットによる調光制御の一例を示す説明図である。
【図９】実施の形態２の照明制御ユニットによる調光制御の一例を示す説明図である。
【図１０】実施の形態３の照明制御ユニットの構成の一例を示すブロック図である。
【図１１】実施の形態３の照明器具の配置例を示す模式図である。
【図１２】人の存在を加味した調光レベルの補正の一例を示す説明図である。
【図１３】季節を加味した調光レベルの補正の一例を示す説明図である。
【図１４】時間帯を加味した調光レベルの補正の一例を示す説明図である。
【発明を実施するための形態】
【００２８】
（実施の形態１）
以下、本発明をその実施の形態を示す図面に基づいて説明する。図１は実施の形態１の照明制御ユニット１００の構成の一例を示すブロック図である。照明制御装置としての照明制御ユニット１００は、印刷装置、複合機などの画像処理装置２００の一部の機能として組み込むことができ、本実施の形態の画像処理装置２００は、照明制御ユニット１００を備える。照明制御ユニット１００は、ユニット全体を制御する制御部１０、各照明器具３０の点灯状態を取得する点灯状態取得部１１、所定の情報を記憶する記憶部１２、各照明器具３０を調光する調光部１３などを備える。
【００２９】
各照明器具３０は、例えば、オフィス又は工場などの室内空間（部屋）の天井などに設置される。室内空間（天井面又は床面）の形状に応じて、各照明器具３０は、格子状に配置してもよく、あるいは直線状に配置してもよい。なお、配置例は、直線状又は格子状に限定されるものではなく、部屋の形状に合わせて任意の配置であってよい。各照明器具３０は、光源として蛍光灯、白熱灯あるいはＬＥＤなどを使用し、内部に光源を駆動するための駆動回路（電源部）を備えるとともに、照明制御ユニット１００から出力される調光信号に基づいて、０％（消灯）〜１００％（全灯）の範囲で調光することができる。
【００３０】
各照明器具３０の点灯消灯は、壁などに取り付けられた点滅スイッチ２０により行うことができる。点滅スイッチ２０を操作することにより、１台ずつ照明器具３０の点灯消灯を行うようにしてもよく、あるいは数台の照明器具３０をまとめて点灯消灯を行うようにしてもよい。また、点滅スイッチ２０は、一箇所に取り付けてもよく、あるいは個々のスイッチ毎に分散して取り付けることもできる。
【００３１】
点灯状態取得部１１は、点滅スイッチ２０のスイッチの入切状態を取得することにより、各照明器具３０のうち、どの照明器具３０が点灯し、どの照明器具３０が消灯であるかを示す点灯状態を取得し、取得した点灯状態を制御部１０へ出力する。予め点滅スイッチ２０の各スイッチと照明器具３０とを対応付けておくことにより、各スイッチの入切状態で各照明器具３０の点灯状態を取得することができる。なお、各照明器具３０の点灯状態は、点滅スイッチ２０からではなく各照明器具３０から取得するようにしてもよい。また、各照明器具３０の点灯状態を取得する構成ではなく、照明制御ユニット１００自らが保持しておく構成でもよい。
【００３２】
記憶部１２は、予め各照明器具３０の配置情報を記憶してある。配置情報は、例えば、各照明器具３０の識別番号、及びそれぞれの照明器具３０の位置関係を示す情報などを含む。例えば、各照明器具３０が直線状に配置されている場合には、配置情報は識別番号の列で表すことができ、各照明器具３０が格子状に配置されている場合には、識別番号のマトリクスで表すことができる。これにより、任意の照明器具３０の周囲にある（例えば、隣接する）照明器具３０の数及び位置関係を特定することができる。
【００３３】
調光部１３は、ＰＷＭ回路などを備え、制御部１０の制御に基づいて、各照明器具３０に対して個別に調光信号を出力する。
【００３４】
図２は照明器具の配置例を示す模式図である。図２の例では、室内空間１を照明する照明器具３１、３２、３３が天井に固定されて直線状に配置されている例を示す。なお、照明器具３１〜３３は、図１に示す照明器具３０と同じものであるが、便宜上符号を分けている。図２中、破線は各照明器具３１〜３３からの光が照射される範囲を模式的に示すものである。すなわち、複数の照明器具３１〜３３が天井等の配置された場合、床面や机面などの照度は、最も近くに配置された照明器具だけでなく周囲の照明器具からの光によって得られる。
【００３５】
通常は、床面や机面などに必要な照度は、最も近くに配置された照明器具だけを点灯することによって得られるように設計されている。このため、付近の複数の照明器具を同時に点灯させた場合には、床面や机面は必要以上の明るさが得られることになる。なお、図２の例では、便宜上３台の照明器具が直線状に配置された場合を示すが、照明器具の配置はこれに限定されない。
【００３６】
次に、実施の形態１の照明制御ユニット１００の照明制御方法について説明する。図３は実施の形態１の照明制御ユニット１００による調光制御の一例を示す説明図である。なお、図３に示す調光制御は、図２に示す照明器具３１〜３３の配置例に対応する。図３は状態Ａ〜Ｈで示す各照明器具３１〜３３の点灯状態及び配置情報に応じた各照明器具３１〜３３の調光レベルを表す。照明器具３１は、隣接する照明器具３２が存在する。また、照明器具３２は、隣接する照明器具３１、３３が存在する。また、照明器具３３は、隣接する照明器具３２が存在する。
【００３７】
例えば、状態Ｂでは、照明器具３１に隣接するすべての照明器具である照明器具３２が消灯しているので、制御部１０は、照明器具３１の調光レベルを「高」（例えば、１００％）にする。
【００３８】
また、状態Ｃでは、照明器具３２に隣接するすべての照明器具である照明器具３１、３３が消灯しているので、制御部１０は、照明器具３２の調光レベルを「高」（例えば、１００％）にする。
【００３９】
また、状態Ｄでは、照明器具３３に隣接するすべての照明器具である照明器具３２が消灯しているので、制御部１０は、照明器具３３の調光レベルを「高」（例えば、１００％）にする。
【００４０】
また、状態Ｇでは、照明器具３１に隣接するすべての照明器具である照明器具３２が消灯し、照明器具３３に隣接するすべての照明器具である照明器具３２が消灯しているので、制御部１０は、照明器具３１、３３の調光レベルを「高」（例えば、１００％）にする。
【００４１】
次に、状態Ｅでは、照明器具３１に隣接する照明器具３２が点灯しているので、隣接する照明器具が１台だけ点灯しており、制御部１０は、照明器具３１の調光レベルを「中」（例えば、６０％）にする。また、照明器具３２に隣接する照明器具３１が点灯しているので、隣接する照明器具が１台だけ点灯しており、制御部１０は、照明器具３２の調光レベルを「中」（例えば、６０％）にする。
【００４２】
また、状態Ｆでは、照明器具３２に隣接する照明器具３３が点灯しているので、隣接する照明器具が１台だけ点灯しており、制御部１０は、照明器具３２の調光レベルを「中」（例えば、６０％）にする。また、照明器具３３に隣接する照明器具３２が点灯しているので、隣接する照明器具が１台だけ点灯しており、制御部１０は、照明器具３３の調光レベルを「中」（例えば、６０％）にする。
【００４３】
次に、状態Ｈでは、照明器具３１に隣接する照明器具３２が点灯しているので、隣接する照明器具が１台だけ点灯しており、制御部１０は、照明器具３１の調光レベルを「中」（例えば、６０％）にする。また、照明器具３３に隣接する照明器具３２が点灯しているので、隣接する照明器具が１台だけ点灯しており、制御部１０は、照明器具３３の調光レベルを「中」（例えば、６０％）にする。
【００４４】
そして、状態Ｈでは、照明器具３２に隣接する照明器具３１、３３が点灯しているので、隣接する照明器具が２台以上点灯しており、制御部１０は、照明器具３２の調光レベルを「低」（例えば、２０％）にする。
【００４５】
図３に例示する調光方法は、予め調光レベル設定テーブルとして記憶部１２などに記憶しておき、実際の照明器具の点灯状態に応じて、選択するようにすればよい。
【００４６】
上述のとおり、実施の形態１では、照明制御ユニット１００は、各照明器具の配置情報を記憶する記憶部１２と、各照明器具を調光する調光部１３と、各照明器具の点灯状態を取得する点灯状態取得部１１とを備える。なお、点灯状態取得部１１は、必須構成ではない。調光部１３は、配置情報により得られた一の照明器具の周囲の照明器具（例えば、隣接する照明器具）の点灯状態に応じて、当該一の照明器具を調光する。複数の照明器具が天井等に配置された場合、床面や机面などの照度は、最も近くに配置された照明器具だけでなく周囲の照明器具からの光によって得られる。床面や机面などに必要な照度は、最も近くに配置された照明器具だけを点灯することによって得られるので、付近の複数の照明器具を点灯させた場合には、必要以上の明るさが得られることになる。そこで、例えば、一の照明器具の周囲の照明器具が点灯している場合、当該一の照明器具の調光レベルを下げることにより、必要な明るさを確保しつつ無駄な消費電力を削減することができる。
【００４７】
また、調光部１３は、制御部１０の制御の元、一の照明器具の周囲で点灯している照明器具の数の多少に応じて、当該一の照明器具の調光レベルを低高とする。すなわち、照明器具の数が多くなれば調光レベルを低く（暗く）し、数が少なくなれば調光レベルを高く（明るく）する。例えば、一の照明器具に隣接する照明器具がすべて点灯していない場合には、当該一の照明器具の調光レベルを「高」（例えば、１００％）にする。また、一の照明器具に隣接する照明器具のうち１台が点灯している場合には、当該一の照明器具の調光レベルを「中」（例えば、６０％）にする。また、一の照明器具に隣接する照明器具のうち２台が点灯している場合には、当該一の照明器具の調光レベルを「低」（例えば、２０％）にする。これにより、必要な明るさを確保しつつ無駄な消費電力を削減することができる。
【００４８】
上述の実施の形態１では、各照明器具の配置情報と点灯状態とに基づいて調光レベルを決定する構成であったが、これに限定されるものではない。例えば、各照明器具の設置高さ（床面などからの高さ）、照明装置同士の取り付け間隔などの設定パラメータを記憶しておき、これらの設定パラメータに応じて調光レベルを調整することもできる。例えば、取り付け間隔が広い場合に調光レベルを上げ、設置高さが高い場合に調光レベルを上げることができる。
【００４９】
（実施の形態２）
図４は実施の形態２の照明制御ユニット１１０の構成の一例を示すブロック図である。実施の形態１との違いは、オフィス又は工場などの室内空間（部屋）に照明器具３０とともに、機器としてのパーソナルコンピュータ又はノートパソコンなどの情報端末装置４０を設置してある点と、各情報端末装置４０のオン／オフ状態を取得するオン／オフ状態取得部１４を備える点である。なお、実施の形態２においても、画像処理装置２００は、照明制御ユニット１１０を備える。また、実施の形態１と同様の箇所は同一の符号を付して説明を省略する。また、機器は、パーソナルコンピュータ等の情報端末装置４０に限定されるものではなく、ネットワーク等に接続され、ユーザが使用する機器であれば、どのようなものでもよい。
【００５０】
各情報端末装置４０と照明制御ユニット１１０とは、ＬＡＮなどのネットワークを介して接続されている。
【００５１】
オン／オフ状態取得部１４は、各情報端末装置４０のオン／オフ状態を取得し、取得したオン／オフ状態を制御部１０へ出力する。
【００５２】
記憶部１２は、各照明器具３０により照明される１又は複数の情報端末装置４０を照明器具３０と関連付けた関連情報を記憶する。すなわち、部屋等に照明器具３０及び情報端末装置４０が設置された場合、通常は１台の照明器具３０で照明される情報端末装置４０は、１台又は複数台存在する。そして、いずれの照明器具３０でいずれの情報端末装置４０が照明されるかを示す関連情報を記憶部１２に予め記憶しておく。
【００５３】
図５は照明器具と情報端末装置との関係を示す模式図である。図５中、破線は各照明器具３１、３２からの光が照射される範囲を模式的に示すものである。なお、照明器具３１、３２は、図４に示す照明器具３０と同じものであるが、便宜上符号を分けている。図５の例では、照明器具３１の照明範囲下に情報端末装置４１、４２が存在し、照明器具３２の照明範囲下に情報端末装置４３、４４、４５が存在する。情報端末装置４１〜４５は、図４に示す情報端末装置４０と同じものであるが、便宜上符号を分けている。なお、図５の例は一例であって、照明器具と情報端末装置との関係はこれに限定されるものではない。
【００５４】
次に、実施の形態２の照明制御ユニット１１０の照明制御方法について説明する。図６、図７、図８及び図９は実施の形態２の照明制御ユニット１１０による調光制御の一例を示す説明図である。図６及び図７は隣接する照明器具が消灯している場合の調光制御の一例を示し、図８及び図９は隣接する照明器具が点灯している場合の調光制御の一例を示す。なお、図６〜図９に示す調光制御は、図５に示す照明器具３１、３２、情報端末装置４１〜４５の設置例に対応する。
【００５５】
図６に示すように、照明器具３１に隣接する照明器具３２が消灯しており、照明器具３１の照明範囲下の情報端末装置４１、４２がすべてオフ状態である場合、制御部１０は、照明器具３１の調光レベルを「中マイナス」（「中」よりも低レベル、例えば、４０％）にする。また、照明器具３１に隣接する照明器具３２が消灯しており、照明器具３１の照明範囲下の情報端末装置４１、４２のうち１台でもオン状態である場合、制御部１０は、照明器具３１の調光レベルを「高」（例えば、１００％）にする。
【００５６】
また、図７に示すように、照明器具３２に隣接する照明器具３１が消灯しており、照明器具３２の照明範囲下の情報端末装置４３〜４５がすべてオフ状態である場合、制御部１０は、照明器具３２の調光レベルを「中マイナス」（「中」よりも低レベル、例えば、４０％）にする。また、照明器具３２に隣接する照明器具３１が消灯しており、照明器具３２の照明範囲下の情報端末装置４３〜４５のうち１台でもオン状態である場合、制御部１０は、照明器具３２の調光レベルを「高」（例えば、１００％）にする。
【００５７】
また、図８に示すように、照明器具３１に隣接する照明器具３２が点灯しており、照明器具３１の照明範囲下の情報端末装置４１、４２がすべてオフ状態である場合、制御部１０は、照明器具３１の調光レベルを「低」（例えば、２０％）にする。また、照明器具３１に隣接する照明器具３２が点灯しており、照明器具３１の照明範囲下の情報端末装置４１、４２のうち１台でもオン状態である場合、制御部１０は、照明器具３１の調光レベルを「中プラス」（「中」よりも高レベル、例えば、８０％）にする。
【００５８】
また、図９に示すように、照明器具３２に隣接する照明器具３１が点灯しており、照明器具３２の照明範囲下の情報端末装置４３〜４５がすべてオフ状態である場合、制御部１０は、照明器具３２の調光レベルを「低」（例えば、２０％）にする。また、照明器具３２に隣接する照明器具３１が点灯しており、照明器具３２の照明範囲下の情報端末装置４３〜４５のうち１台でもオン状態である場合、制御部１０は、照明器具３２の調光レベルを「中プラス」（「中」よりも高レベル、例えば、８０％）にする。
【００５９】
上述のとおり、実施の形態２では、照明制御ユニット１１０は、各照明器具３０により照明される１又は複数の情報端末装置４０を照明器具３０と関連付けた関連情報を記憶する記憶部１２と、各照明器具３０を調光する調光部１３と、各情報端末装置４０のオン／オフ状態を取得するオン／オフ状態取得部１４とを備える。調光部１３は、制御部１０の制御の元、関連情報により得られた一の照明器具３０により照明される情報端末装置４０のオン／オフ状態に応じて、当該一の照明器具３０を調光する。一の照明器具３０により照明される情報端末装置４０がオン状態であれば、当該一の照明器具３０で照明される領域内に人が居る可能性が高いので当該一の照明器具３０の調光レベルを高くする。また、一の照明器具３０により照明される情報端末装置４０がオフ状態であれば、当該一の照明器具３０で照明される領域内に人が居る可能性が低いので当該一の照明器具３０の調光レベルを低くする。これにより、必要な明るさを確保しつつ無駄な消費電力を削減することができる。
【００６０】
また、調光部１３は、制御部１０の制御の元、一の照明器具３０により照明される情報端末装置４０がすべてオフ状態である場合、当該一の照明器具３０の調光レベルを下げる。一の照明器具３０により照明される情報端末装置４０がすべてオフ状態であれば、当該一の照明器具３０で照明される領域内に人が居る可能性が低いので当該一の照明器具３０の調光レベルを下げる。これにより、必要な明るさを確保しつつ無駄な消費電力を削減することができる。
【００６１】
また、照明制御ユニット１１０は、各照明器具３０の配置情報を記憶する記憶部１２と、各照明器具３０の点灯状態を取得する点灯状態取得部１１とを備える。調光部１３は、制御部１０の制御の元、一の照明器具３０の周囲（例えば、隣接する状態）で点灯している照明器具３０の数の多少に応じて、当該一の照明器具３０の調光レベルを低高とする。例えば、一の照明器具３０により照明される情報端末装置４０がオン状態であって、当該一の照明器具３０の調光レベルを「高」（例えば、１００％）にした場合に、周囲で点灯している照明器具３０が存在するときは、当該一の照明器具３０の調光レベルを低とすべく「中プラス」（例えば、８０％）にする。また、一の照明器具３０により照明される情報端末装置４０がオフ状態であって、当該一の照明器具３０の調光レベルを「中マイナス」（例えば、４０％）にした場合に、周囲で点灯している照明器具３０が存在するときは、当該一の照明器具３０の調光レベルを低とすべく「低」（例えば、２０％）にする。これにより、必要な明るさを確保しつつ無駄な消費電力を削減することができる。
【００６２】
（実施の形態３）
図１０は実施の形態３の照明制御ユニット１２０の構成の一例を示すブロック図である。実施の形態１との違いは、照明制御ユニット１２０は、インタフェース部１５、タイマ回路１６をさらに備える点である。また、部屋などの室内空間には、人感センサ５０、照度センサ６０を設置している。なお、照度センサ６０は、室内の照度レベルを検出することができるように部屋の大きさや形状に応じて適宜の配置とすることができる。また、人感センサ５０は、室内に存在する人を検知できるように１又は複数設置することができる。また、実施の形態３においても、画像処理装置２００は、照明制御ユニット１２０を備える。また、実施の形態１と同様の箇所は同一の符号を付して説明を省略する。
【００６３】
インタフェース部１５は、室内に配置した人感センサ５０から人感信号を取得し、取得した人感信号を制御部１０へ出力する。また、インタフェース部１５は、室内の照度を検出する１又は複数の照度センサ６０からの照度信号を取得し、取得した照度信号を制御部１０へ出力する。
【００６４】
タイマ回路１６は、１日２４時間、３６５日時間を計測することができ、季節（春夏秋冬）、１日の時間帯などを判定する判定部として機能する。
【００６５】
また、制御部１０は、タイマ回路１６で判定した季節又は時間帯に応じて、調光レベルを補正する補正部として機能する。
【００６６】
なお、図１０の例では、インタフェース部１５及びタイマ回路１６の両方を備える構成であるが、いずれか一方のみを具備する構成でもよい。
【００６７】
図１１は実施の形態３の照明器具の配置例を示す模式図である。図１１の例では、室内空間を照明する照明器具３１〜３９が天井に固定されて格子状に配置されている例を示す。なお、照明器具３１〜３９は、図１０に示す照明器具３０と同じものであるが、便宜上符号を分けている。また、図１１に例示する各照明器具３１〜３９は、例えば、実施の形態１、２で示す方法により調光されているものとする。
【００６８】
次に、実施の形態３の照明制御ユニット１２０の照明制御方法について説明する。図１２は人の存在を加味した調光レベルの補正の一例を示す説明図である。なお、図１２に示す調光レベルの補正は、図１１に示す照明器具３１〜３９の配置例に対応する。また、人感センサ５０により、図１１中の符号Ａで示す位置に人が存在することを検知したとする。
【００６９】
調光部１３は、制御部１０の制御の元、照明器具の位置と人感センサで感知した人間の位置との距離の長短に応じて、当該照明器具の調光レベルを低高とする。例えば、図１１に示すように、人が存在する位置を中心として、同心円状の破線Ａ１内の近距離、破線Ａ２内の中距離、破線Ａ２外の遠距離の３段階に分ける。そして、図１２に示すように、近距離にある照明器具３５、３６、３８、３９については、調光レベルを変更しない。また、中距離にある照明器具３２、３３、３４、３７については、調光レベルを低とすべく１０％下げる補正を行う。また、遠距離にある照明器具３１については、調光レベルをさらに低とすべく２０％下げる補正を行う。これにより、さらに人の存在位置を加味して調光レベルを下げることができるので、必要な明るさを確保しつつ無駄な消費電力を一層削減することができる。
【００７０】
また、調光部１３は、照度センサ６０で検出した照度が所定の設定値になるように照明器具３０を調光する。これにより、各照明器具３０の調光を行う場合に、所定の設定値に調整することができる。
【００７１】
図１３は季節を加味した調光レベルの補正の一例を示す説明図である。図１３に示すように、季節が春又は秋である場合、調光レベルの補正を行わない。季節が夏である場合、外が明るいので補正量を正（プラス）、すなわち調光レベルが上がるように補正する。また、季節が冬である場合、外の暗さに合わせて補正量を負（マイナス）、すなわち調光レベルが下がるように補正する。これにより、屋外と屋内での明るさを近づけることができ、屋外から屋内、あるいは屋内から屋外へ移動したときの明るさの差異を少なくして不快感を和らげることができる。なお、補正の程度は適宜設定することができるが、例えば、＋１０〜２０％程度、−１０〜２０％程度とすることができる。
【００７２】
図１４は時間帯を加味した調光レベルの補正の一例を示す説明図である。図１４に示すように、時間帯が朝（例えば、７時〜１０時）の場合、調光レベルの補正を行わない。また、時間帯が昼（例えば、１０時〜１７時）の場合、外が明るいので補正量を正（プラス）、すなわち調光レベルが上がるように補正する。また、時間帯が夜（例えば、１７時〜７時）の場合、外の暗さに合わせて補正量を負（マイナス）、すなわち調光レベルが下がるように補正する。これにより、人間のバイオリズムに合わせた細やかな調光制御を行うことができ、快適性を向上させることができる。なお、補正の程度は適宜設定することができるが、例えば、＋１０〜２０％程度、−１０〜２０％程度とすることができる。
【００７３】
上述の実施の形態では、画像処理装置２００は、照明制御ユニット１００、１１０、１２０のいずれかを備える。オフィスなどの室内空間に設置された画像処理装置（例えば、印刷装置、複合機など）は、通常は常時電源が入っている。したがって、画像処理装置に照明制御ユニットを組み込むことにより、専用の照明制御装置が不要になるので、さらなる消費電力の削減が可能となる。
【００７４】
上述の実施の形態では、周辺の照明器具として隣接する照明器具を用いて説明したが、周辺の照明器具は隣接する照明器具だけに限定されるものではない。例えば、隣接する照明器具にさらに隣接する他の照明器具（さらに離れた照明器具）の点灯状態を考慮することもできる。
【符号の説明】
【００７５】
１０  制御部（補正部）
１１  点灯状態取得部
１２  記憶部（配置情報記憶部、関連情報記憶部）
１３  調光部
１４  オン／オフ状態取得部
１５  インタフェース部
１６  タイマ回路（判定部）
２０  点滅スイッチ
３０  照明器具
４０  情報端末装置（機器）
５０  人感センサ
６０  照度センサ
【図１】
2011253716.tif 000003
【図２】
2011253716.tif 000004
【図３】
2011253716.tif 000005
【図４】
2011253716.tif 000006
【図５】
2011253716.tif 000007
【図６】
2011253716.tif 000008
【図７】
2011253716.tif 000009
【図８】
2011253716.tif 000010
【図９】
2011253716.tif 000011
【図１０】
2011253716.tif 000012
【図１１】
2011253716.tif 000013
【図１２】
2011253716.tif 000014
【図１３】
2011253716.tif 000015
【図１４】
2011253716.tif 000016